(57)【特許請求の範囲】
【請求項１】
天井部に対し垂下状に配置される左右の支持基体と、これら支持基体の間に延設される可撓性の垂れ幕本体と、該垂れ幕本体を巻取り可能な略円柱状の巻取体と、該巻取体の外周部、又は該巻取体に巻かれる前記垂れ幕本体の外周部に摺接してこの外周部を回転可能に覆い支持する筒状支持部とを備え、前記巻取体を巻取り方向へ回転させることで前記垂れ幕本体を張るようにした防煙垂れ幕装置において、
前記垂れ幕本体の左右両端部に、それぞれ、係合部が止着固定され、
前記巻取体の外周部に、前記係合部を嵌め合せて係止可能な第１の被係合凹部が設けられ、前記筒状支持部の内周部には、同じ係合部を嵌め合せて係止可能な第２の被係合凹部が設けられ、
前記筒状支持部は、左右の前記支持基体の両方にそれぞれ固定され、
前記巻取体は、左右の前記筒状支持部のうち、その一方又は両方に支持され、
前記垂れ幕本体の左右の前記係合部は、その一方が前記第１の被係合凹部に係止され、その他方が、前記第１の被係合凹部又は前記第２の被係合凹部に係止されていることを特徴とする防煙垂れ幕装置。
【請求項２】
前記第１及び第２の被係合凹部は、それぞれ、内部が広がった断面形状であって上下方向にわたる溝状に形成され、その下端部から、前記垂れ幕本体の一端側に止着された略丸棒状の前記係合部が挿入されるようにしていることを特徴とする請求項１記載の防煙垂れ幕装置。
【請求項３】
前記両方の筒状支持部のうち、その片方のみに前記巻取体が設けられ、
前記垂れ幕本体の左右の前記係合部は、その一方が、前記片方の筒状支持部に内在された前記巻取体における前記第１の被係合凹部に係止され、その他方が、前記巻取体を内在しない方の筒状支持部における前記第２の被係合凹部に係止されていることを特徴とする請求項１又は２記載の防煙垂れ幕装置。
【請求項４】
前記垂れ幕本体の上端に沿うように、ガイドレールを設け、該ガイドレールに、左右方向へ移動自在に挟持部を設け、前記垂れ幕本体の上端側を前記挟持部によって厚さ方向に挟持するようにした防煙垂れ幕装置であって、
前記ガイドレールは、固定部材と、該固定部材に対し着脱される着脱片とを具備し、
前記固定部材は、その内部の凹溝によって前記挟持部を左右方向へ移動可能に支持するとともに、垂れ幕本体厚さ方向の一方側に、前記挟持部を外部に露出する開口部を有し、
前記着脱片は、前記開口部を閉鎖するように設けられていることを特徴とする請求項１乃至３何れか１項記載の防煙垂れ幕装置。
【請求項５】
前記垂れ幕本体の下端側に可撓性長尺部材を設け、該可撓性長尺部材に、前記垂れ幕本体の横幅方向の張力よりも高い張力を生じさせる張力発生手段を設けていることを特徴とする請求項１乃至４何れか１項記載の防煙垂れ幕装置。
【請求項６】
前記垂れ幕本体の横幅方向の一端側を一方の支持基体側の前記筒状支持部に止着する工程と、前記垂れ幕本体の横幅方向の他端側を横方向へ引き延ばしながら、前記垂れ幕本体の上端側を前記挟持部に挟持させる工程と、前記垂れ幕本体の前記他端側を他方の支持基体側の前記巻取体の外周部に止着する工程と、を含むことを特徴とする請求項５記載の防煙垂れ幕装置の施工方法。
【発明の詳細な説明】
【技術分野】
【０００１】
本発明は、火災時等の生じる煙の拡散を防ぐために天井等に設置される防煙垂れ幕装置及び該防煙垂れ幕装置の施工方法に関するものである。
【背景技術】
【０００２】
従来、建築・構造物の室内における天井側に設けられる防煙垂れ幕は、視野を妨げないことや、室内灯の光を遮らないこと、意匠性が良好なこと等の観点から、板ガラスが用いられることが多かった。しかし、板ガラスは、高重量で破損のおそれがあるため、運搬や施工、保管の際に注意を要する上、万が一、地震等の災害により落下した場合に衝撃が大きい。
そこで、近年では、可撓性のシート材を用いた防煙垂れ幕がある。例えば、特許文献１に記載される防煙垂れ幕では、可撓性のシート材（５）と、このシート材（５）の左端側を巻取るように両端側がベアリングによって支持されたシート材巻体（４）と、該シート材巻取体（４）を収納するボックス（３）と、シート材（５）の右端側を止着する枠体（８）とを具備し、シート材巻体（４）の巻取り力によってシート材（５）を張るようにしている。
【０００３】
しかしながら、上記従来の防煙垂れ幕装置では、シート材巻体（４）の軸方向の両端をベアリングによって支持しているため、シート材巻体（４）を収納するボックス（３）の上下方向寸法が大きくなってしまう。
また、シート材巻体（４）を巻取り回転させてシート材（５）を引張った際には、シート材（５）の張力によって、シート材巻体（４）の軸方向の中央寄りが、シート材（５）側へ撓み、シート材（５）に撓みや弛み、皺等を生じてしまうおそれがある。
【先行技術文献】
【特許文献】
【０００４】
【特許文献１】特開２００７−２９１０９号公報
【発明の概要】
【発明が解決しようとする課題】
【０００５】
本発明は、上記従来事情に対処することを課題の一例とするものである。すなわち、垂れ幕本体を巻き取る機構によって装置全体の上下方向寸法が大きくなるのを防ぐこと、垂れ幕本体の張力によって該垂れ幕本体を巻き取る巻取体が撓むのを防ぐこと、垂れ幕本体に撓みや弛み、皺等を生じるのを防ぐこと、防煙効果を向上すること等、が本発明の目的である。
【課題を解決するための手段】
【０００６】
上記課題を解決するための一手段は、天井部に対し垂下状に配置される左右の支持基体と、これら支持基体の間に延設される可撓性の垂れ幕本体と、該垂れ幕本体を巻取り可能な略円柱状の巻取体と、該巻取体の外周部、又は該巻取体に巻かれる前記垂れ幕本体の外周部に摺接してこの外周部を回転可能に覆い支持する筒状支持部とを備え、前記巻取体を巻取り方向へ回転させることで前記垂れ幕本体を張るようにした防煙垂れ幕装置において、前記垂れ幕本体の左右両端部に、それぞれ、係合部が止着固定され、前記巻取体の外周部に、前記係合部を嵌め合せて係止可能な第１の被係合凹部が設けられ、前記筒状支持部の内周部には、同じ係合部を嵌め合せて係止可能な第２の被係合凹部が設けられ、前記筒状支持部は、左右の前記支持基体の両方にそれぞれ固定され、前記巻取体は、左右の前記筒状支持部のうち、その一方又は両方に支持され、前記垂れ幕本体の左右の前記係合部は、その一方が前記第１の被係合凹部に係止され、その他方が、前記第１の被係合凹部又は前記第２の被係合凹部に係止されていることを特徴とする。
【発明の効果】
【０００７】
本発明は、以上説明したように構成されているので、垂れ幕本体を巻き取る機構によって装置全体の上下方向寸法が大きくなるのを防ぐこと、垂れ幕本体の張力によって該垂れ幕本体を巻き取る巻取体が撓むのを防ぐこと、垂れ幕本体に撓みや弛み、皺等を生じるのを防ぐこと、防煙効果を向上すること等、本発明の目的を達成することができる。
【図面の簡単な説明】
【０００８】
【図１】本発明に係る防煙垂れ幕装置の一例を示す正面図である。
【図２】同防煙垂れ幕装置の構造図である。
【図３】図２の(III)−(III)線断面図である。
【図４】図２の(IV)−(IV)線断面図である。
【図５】図２の(V)−(V)線断面図である。
【図６】一方向回転手段の一例を示す要部切欠構造図である。
【図７】本発明に係る防煙垂れ幕装置の一例を示す正面図である。
【図８】図７の防煙垂れ幕装置の構造図である。
【図９】図７の防煙垂れ幕装置の部分拡大図である。
【発明を実施するための形態】
【０００９】
本実施の形態の第一の特徴は、天井部に対し垂下状に配置される左右の支持基体と、これら支持基体の間に延設される可撓性の垂れ幕本体とを備えた防煙垂れ幕において、前記左右の支持基体のうち、少なくとも一方に、前記垂れ幕本体を巻取り可能な略円柱状の巻取体と、該巻取体の外周部、又は該巻取体に巻かれる垂れ幕本体の外周部に摺接して該外周部を回転可能に覆い支持する筒状支持部と、を具備し、前記巻取体を巻取り方向へ回転させることで前記垂れ幕本体を張るようにした。
この構成によれば、巻取体を巻取り方向へ回転させると、該巻取体及び該巻取体に巻かれた垂れ幕本体の外周部に、筒状支持部が摺接して、巻取体の回転が継続する。巻取体の外周部を筒状支持部によって回転可能に覆い支持しているため、巻取体の上下側にベアリングを用いる必要がなく、支持基体の上下方向寸法を比較的小さく設定することができる。その上、巻取体の胴を覆い支持する構造であるため、垂れ幕本体の張力によって巻取体の中央側が撓むようなことを防ぐことができる。また、巻取体の周囲に隙間が生じ難い構造であるため、垂れ幕本体内外の気密性が良好である。よって、巻取体の撓みに起因して、垂れ幕本体に撓みや弛み、皺を生じるのを防ぐことができる上、垂れ幕本体による防煙効果を向上することができる。
【００１０】
第二の特徴としては、前記筒状支持部には、前記垂れ幕本体を挿通する開口部が設けられ、前記筒状支持部は、前記開口部に沿う縁部を、前記垂れ幕本体の表裏面のうちの一方のみに当接させている。
この構成によれば、垂れ幕本体の厚さ方向の位置が安定するとともに、垂れ幕本体を同じ厚さ方向位置にて横幅方向へ引っ張ることができる。また、縁部を垂れ幕本体の表裏面のうちの一方のみに当接するようにしているため、その当接部分の気密性が良好であり、防煙効果をより向上することができる。
【００１１】
第三の特徴としては、より効果的に巻取体の撓みを防ぐ具体的態様として、前記筒状支持部は、前記垂れ幕本体の上下方向の全長にわたって連続するとともに、その外周部に、前記垂れ幕本体を挿通するように上下方向へ連続する前記開口部を有する。
【００１２】
第四の特徴としては、より具体的な態様として、前記巻取体の軸方向の一端側に、前記巻取体を巻取り回転方向のみに回転させる一方向回転手段を設けた。
【００１３】
第五の特徴としては、巻取体の巻取り操作を良好に行えるように、前記巻取体の下端部に、前記巻取体を治具によって回転可能にする治具係合部を設けるとともに、この治具係合部を露出可能にした。
【００１４】
第六の特徴としては、より具体的な態様として、前記左右の支持基体の両方に、前記筒状支持部を設けるとともに、これら両筒状支持部のうち、その片方のみに前記巻取体を設け、巻取体を内在しない一方の前記筒状支持部に前記垂れ幕本体の横幅方向の一端側を止着し、他方の前記筒状支持部内の前記巻取体によって前記垂れ幕本体の他端側を巻き取るようにした。
【００１５】
第七の特徴としては、垂れ幕本体を張る際の施工性を向上するために、前記垂れ幕本体の上端に沿うように、ガイドレールを設け、該ガイドレールには、左右方向へ移動自在に挟持部を設け、前記垂れ幕本体の上端側を前記挟持部によって厚さ方向に挟持するようにした。
【００１６】
また、第八の特徴は、特に施工性の良好な防煙垂れ幕装置の施工方法であって、前記垂れ幕本体の横幅方向の一端側を一方の支持基体に止着する工程と、前記垂れ幕本体の横幅方向の他端側を横方向へ引き延ばしながら、前記垂れ幕本体の上端側を前記挟持部に挟持させる工程と、前記垂れ幕本体の前記他端側を他方の支持基体の前記巻取体の外周部に止着する工程と、を含む。
【００１７】
また、上記した一部の特徴は、先に記載した特徴を含まない独立した発明とすることが可能である。
すなわち、この独立した発明の一つは、天井部に対し垂下状に配置される左右の支持基体と、これら支持基体の間に延設される可撓性の垂れ幕本体とを備えた防煙垂れ幕において、前記垂れ幕本体の上端に沿うように、ガイドレールを設け、該ガイドレールには、左右方向へ移動自在に挟持部を設け、前記垂れ幕本体の上端側を前記挟持部によって厚さ方向に挟持するようにしたことを特徴とする。
この発明によれば、垂れ幕本体を延設する作業を、垂れ幕本体の上端部を挟持部に挟持しなら行えるので、作業性が良好である。しかも、垂れ幕本体を左右方向へ引き張った際には、挟持部がガイドレールに沿って移動するため、垂れ幕本体に皺や撓み、弛み等を生じ難い。
【００１８】
次に、上記形態の特に好ましい実施例を、図面に基づいて詳細に説明する。
【実施例】
【００１９】
図１は、本発明に係る防煙垂れ幕及び該防煙垂れ幕の設置構造を示している。
この防煙垂れ幕装置１は、天井部ａに対し垂下状に配置される左右の支持基体１０，２０と、これら支持基体１０，２０の間に左右方向へ連続して延設される垂れ幕本体３０と、垂れ幕本体３０の上端に沿うガイドレール４０とを備え、一方（図１によれば右側）の支持基体１０内の巻取体１２を巻取り方向へ回転させることで垂れ幕本体３０を張るようにしている。
【００２０】
一方（図１によれば右側）の支持基体１０は、図３及び図６に示すように、収納ケース１１と、該収納ケース１１内で垂れ幕本体３０の一端側を巻き取る巻取体１２と、該巻取体１２を回転可能に支持する支持部材１３と、収納ケース１１及び支持部材１３の基端側（図示の右端側）を支持して壁面ｂに固定する固定部材１４と、巻取体１２を巻取り方向のみへ回転させる一方向回転手段１５（図６参照）と、を具備している。
【００２１】
収納ケース１１は、垂れ幕本体３０厚さ方向の一方側と他方側に設けられる第一パネル１１ａと第二パネル１１ｂと、これら第一パネル１１ａと第二パネル１１ｂの間の空間を下方から塞ぐカバー部材１１ｄとからなる。
第一パネル１１ａは、断面略Ｌ字状（図３参照）のパネルであって上下方向へ連続するとともに垂れ幕本体３０の上下幅よりも若干長めに形成される。この第一パネル１１ａの基端側における内側面には、固定部材１４に嵌合させるための突起１１ａ１が形成される。この突起１１ａ１は、先端側が広がった断面形状（図示例によれば略円形状）であって、上下方向へ連続して形成され、後述する固定部材１４に対し、上端部又は下端部から挿入されて嵌合する。
第二パネル１１ｂは、第一パネル１１ａに対し、垂れ幕本体３０を間にして対称形状に設けられた部材であり、第一パネル１１ａ同様に突起１１ｂ１を有する。
これら第一パネル１１ａ及び第二パネル１１ｂは、後述する固定部材１４を挟むようにして一体化されている（図３参照）。そして、これら第一パネル１１ａと第二パネル１１ｂの間には、垂れ幕本体３０を遊挿させるスリット１１ｃが形成される。
【００２２】
カバー部材１１ｄは、第一パネル１１ａ及び第二パネル１１ｂの下端部に対し、ネジ等の止着具によって着脱可能に止着される。
【００２３】
巻取体１２は、上下方向へ連続する円筒状の部材であり、その中心線に沿う上端側に、後述する一方向回転手段１５を係合するための雌ネジ孔１２ａ（図３及び図６参照）を有し、下端側には、該巻取体１２を治具によって回転させるための治具係合部１２ｂ（図２及び図３参照）を露出可能に具備する。また、この巻取体１２の外周部には、垂れ幕本体３０の一端側を嵌め合せる被係合凹部１２ｃ（図３参照）が設けられる。この巻取体１２は、垂れ幕本体３０の上下方向高さと略同長さに形成される。
【００２４】
治具係合部１２ｂは、回転操作治具１００（例えば六角レンチ）を挿入可能な六角穴である。
また、被係合凹部１２ｃは、内部が広がった断面形状（図示例によれば略円形状）であって巻取体１２の軸方向の全長にわたる溝状に形成される。この被係合凹部１２ｃには、その下端部から、垂れ幕本体３０一端側に止着された係合部３１が挿入される。
【００２５】
支持部材１３は、巻取体１２又は該巻取体１２に巻かれた垂れ幕本体３０の外周部を回転可能に覆い支持する筒状支持部１３ａと、該筒状支持部１３ａに連設され固定部材１４に接続される接続部１３ｂとを具備し、筒状支持部１３ａと接続部１３ｂの間に、後述する一方向回転手段１５を係合するための空間１３ｄを確保している。
【００２６】
筒状支持部１３ａは、巻取体１２の外周部、又は巻取体１２に巻かれる垂れ幕本体３０の外周部に摺接するように、巻取体１２の外径よりも若干大きい内径の断面略Ｃ字状に形成され、垂れ幕本体３０の上下方向の全長にわたって連続している。そして、この筒状支持部１３ａの外周部には、垂れ幕本体３０を挿通するように上下方向へ連続する開口部１３ａ１を有する。また、筒状支持部１３ａの内周部には、被係合凹部１３ａ２が形成される。
【００２７】
開口部１３ａ１は、筒状支持部１３ａの上下方向の全長にわたって設けられ、垂れ幕本体３０を下方側から挿通する。この開口部１３ａ１は、垂れ幕本体３０厚さ方向の一方寄り（図３によれば下寄り）に配置される。そして、この開口部１３ａ１の中心位置は、垂れ幕本体３０に対し、筒状支持部１３ａ周方向の一方へずれた位置にある。
そして、筒状支持部１３ａは、開口部１３ａ１を周方向に挟む一方側と他方側に、該開口部１３ａ１の上下方向に沿って縁部１３ａ３と縁部１３ａ５を有し、その一方（図３中の上側）の縁部１３ａ３を、垂れ幕本体３０の前記一方側の面に対し、その厚さ方向側から略直角に当接させ、垂れ幕本体３０の逆側の面（図３中の下側の面）には当接するものがないようにしている。
この構成によれば、垂れ幕本体３０の厚さ方向の位置が安定するとともに、垂れ幕本体３０を同じ厚さ方向位置にて横幅方向へ引っ張ることができ、ひいては、垂れ幕本体３０の外観上の体裁を向上するとともに、垂れ幕本体３０の撓み、弛み及び皺の発生を抑制することができる。また、縁部１３ａ３を垂れ幕本体３０の表裏面のうちの一方のみに圧接するようにしているため、該圧接部分の気密性が良好であり、ひいては、防煙効果を向上することができる。
【００２８】
また、被係合凹部１３ａ２は、内部が広がった断面形状（図示例によれば略円形状）であって支持部材１３の上下方向の全長にわたる溝状に形成される。この被係合凹部１３ａ２には、巻取体１２を介さずに、垂れ幕本体３０一端側に止着された係合部３１を挿入し係止することが可能である。
【００２９】
また、接続部１３ｂは、筒状支持部１３ａに接続された断面略Ｌ字状の部位であり、固定部材１４に対し、ボルトやネジ、リベット等の止着具１３ｃ（図示例によればボルト）によって止着される。
【００３０】
固定部材１４は、壁面ｂに対し止着具１４ｃによって止着される止着部材１４ａと、前記接続部１３ｂ側の止着具が螺合される受け部材１４ｂとを具備し、上下方向へ連続している。
【００３１】
止着部材１４ａは、断面凹字状の部材であり、止着具１４ｃによって壁面ｂに止着される。この止着部材１４ａの垂れ幕本体３０厚さ方向における外側の一端側面と他端側面には、収納ケース１１の突起１１ａ１（又は１１ｂ１）を嵌合するための被嵌合凹部１４ａ１が形成される。各被嵌合凹部１４ａ１は、内部が広がった断面形状（図示例によれば略円形状）であって固定部材１４の上下方向の全長にわたる溝状に形成される。この被嵌合凹部１４ａ１には、その下端部又は上端部から、第一パネル１１ａの突起１１ａ１、又は第二パネル１１ｂの突起１１ｂ１が挿入される。
【００３２】
また、受け部材１４ｂは、止着部材１４ａにおける支持部材１３側に嵌合される。詳細に説明すれば、断面略凹字状の止着部材１４ａの内側には、垂れ幕本体３０厚さ方向に対向するとともに上下方向へ連続する二つの溝１４ａ２，１４ａ２が設けられる。受け部材１４ｂは、上下方向へ長尺な矩形板状に形成され、前記二つの溝１４ａ２，１４ａ２間に嵌り合っている。この受け部材１４ｂには、止着具１３ｃを螺合するための雌ネジが設けられている。
【００３３】
また、一方向回転手段１５は、図６に示すように、ラチェット装置１５ａと、該ラチェット装置１５ａに嵌り合って一方向（巻取体１２の巻取り方向）へ回転する軸状部材１５ｂとから構成される。
【００３４】
ラチェット装置１５ａは、支持部材１３の上端部に載置される基部１５ａ１と、該基部１５ａ１内で一方向のみへ回転する環状係合部１５ａ２と、基部１５ａ１に対し折れ曲がるようにして回動するように接続された杆状の回止め係合部１５ａ３とを有する。
【００３５】
基部１５ａ１は、内部に、爪歯車機構や、ワンウェイクラッチ機構等の機構（図示せず）を具備することで、環状係合部１５ａ２を一方向のみへ回転させるように支持している。
【００３６】
環状係合部１５ａ２は、その内周面に、軸状部材１５ｂの外周部に嵌合する嵌合部を有する。該嵌合部は、図示例によれば六角孔である。
【００３７】
回止め係合部１５ａ３は、基部１５ａ１に対し上下方向へ回動するように枢支され、下方へ回動した際に、支持部材１３における筒状支持部１３ａと接続部１３ｂとの間の断面略凹状の空間１３ｄ（図３参照）に嵌り合う。
よって、この回止め係合部１５ａ３は、回転方向の一方（図示例によれば反時計方向）において支持部材１３の接続部１３ｂに当接し、また回転方向の他方においては筒状支持部１３ａの外周部から突出する突片部１３ａ４に当接するため、周方向の何れにも回転しないように保持される。
【００３８】
また、軸状部材１５ｂは、下部側のネジ軸部１５ｂ１と、該ネジ軸部１５ｂ１の上端に連結された第一ナット部１５ｂ２と、該第一ナット部１５ｂ２の上端に連結された座金部１５ｂ３と、該座金部１５ｂ３の上端に連結された第二ナット部１５ｂ４と、を具備する一体の略ボルト状に形成される（図６参照）。
ネジ軸部１５ｂ１は、巻取体１２上端側の雌ネジ孔１２ａに螺合する雄ネジ状に形成された軸である。
第一ナット部１５ｂ２は、一方向回転手段１５の環状係合部１５ａ２に嵌合する六角ナット状に形成された部位である。
座金部１５ｂ３は、一方向回転手段１５の環状係合部１５ａ２の上端面に当接するように形成された座金状の部位である。
第二ナット部１５ｂ４は、最上端部に位置する六角頭状の部位であり、スパナ等に治具が嵌め合せられるようになっている。
本実施例の軸状部材１５ｂでは、座金部１５ｂ３及び第一ナット部１５ｂ２からなる座金付ナットを、第二ナット部１５ｂ４及びネジ軸部１５ｂ１からなるボルトに螺合し溶着することで構成される。
上記構成の軸状部材１５ｂは、第一ナット部１５ｂ２を巻取体１２の上端側に螺合させて締め付けられる。よって、この構成によれば、回転不能な支持部材１３、及び一方向回転手段１５の基部１５ａ１及び回止め係合部１５ａ３等に対し、軸状部材１５ｂ及び環状係合部１５ａ２が、一方向（巻取体１２の巻取り方向）へのみ回転することになる。
【００３９】
また、支持基体２０は、図４に示すように、収納ケース２１と、該収納ケース２１内で垂れ幕本体３０の他端部（図示例によれば左端側）を支持する支持部材２３と、収納ケース２１及び支持部材２３の基端側（図示の左端側）を支持して壁面ｃに固定する固定部材２４と、を具備している。
収納ケース２１、支持部材２３及び固定部材２４は、それぞれ、上述した収納ケース１１、支持部材１３及び固定部材１４（図３参照）と左右対称に構成された部材である。
【００４０】
すなわち、収納ケース２１は、収納ケース１１と同様にして、第一パネル２１ａと第二パネル２１ｂを具備し、これらの間に垂れ幕本体３０を挿通するスリット２１ｃを有する。また、第一パネル２１ａと第二パネル２１ｂの下端側の開口部を、着脱可能なカバー部材２１ｄによって塞いでいる。
支持部材２３は、支持部材１３と同様にして、筒状支持部２３ａ、開口部２３ａ１、被係合凹部２３ａ２、縁部２３ａ３、接続部２３ｂ等を有し、止着具２３ｃによって固定部材２４に固定されている。
固定部材２４は、固定部材１４と同様にして、止着部材２４ａ、受け部材２４ｂ等を備え、止着具２４ｃによって壁面ｃに止着固定される。
【００４１】
そして、上記構成の支持基体２０は、巻取体１２を介在することなく、筒状支持部２３ａ内の被係合凹部２３ａ２に、直接、垂れ幕本体３０他端側の係合部３１を嵌合固定している。
【００４２】
また、垂れ幕本体３０は、例えば、ガラスクロスやシリカクロス等の難燃性布地や、フッ素加工を施した塩化ビニル樹脂シート材、ガラス繊維を含んだ合成樹脂シート材等、遮煙性、必要に応じ耐火性（難燃性を含む）を有する可撓性シート材料によって構成される。この垂れ幕本体３０は、視野を妨げないことや、室内灯の光を遮らないこと、意匠性が良好なこと等の観点から、特に好ましくは、半透明のシート材から横幅方向へ長尺な平面視略矩形状に形成される。
この垂れ幕本体３０の左右端部には、係合部３１，３１が止着固定される。各係合部３１は金属材料や合成樹脂材料等からなる略丸棒状の部材であり、垂れ幕本体３０の端部に止着固定される。
【００４３】
上記構成の垂れ幕本体３０は、上端側の部分が後述するガイドレール４０に挟まれて吊るされる（図５参照）。
【００４４】
ガイドレール４０は、左右の支持基体１０，２０間にわたる長尺状の部材であり、図５に示すように、天井部ａに固定された長尺状の天井側固定部材ａ１に対し、止着具ａ２（例えば、ネジやボルト等）によって止着固定される。
このガイドレール４０は、前記天井側固定部材ａ１に固定される固定部材４１と、固定部材４１に対し着脱される着脱片４２と、固定部材４１と着脱片４２の間の内部空間で左右方向へ移動自在な単数もしくは複数（図示例によれば２つ）の挟持部４３とを具備し、垂れ幕本体３０の上端側を前記挟持部４３によって厚さ方向に挟持する。
【００４５】
固定部材４１は、左右の支持基体１０，支持基体２０間に連続する断面略コ字枠状の部材であり、その内部には、後述するスライド片４３ａを左右方向へ移動可能に支持するように、左右方向へ連続する凹溝４１ａが設けられる。また、この固定部材４１における垂れ幕本体３０厚さ方向の一方側（図５によれば右方向側）には、挟持部４３を外部に露出する開口部４１ｂが形成される。
【００４６】
着脱片４２は、固定部材４１の前記開口部４１ｂを閉鎖する部材であって、前記左右方向へ連続する断面Ｌ字状に形成され、止着具４２ａ（例えばネジやボルト等）によって固定部材４１に対し着脱可能に固定される。
【００４７】
挟持部４３は、固定部材４１の凹溝４１ａに対しスライド可能に嵌り合うスライド片４３ａと、該スライド片４３ａとの間で垂れ幕本体３０の上端部を挟む挟持片４３ｂと、これらスライド片４３ａと挟持片４３ｂを止着する止着具４３ｃとを具備してなる。
スライド片４３ａは、図示例によれば下方を開口した断面凹字状に形成され、下方へ突出する一片部を凹溝４１ａに嵌め合せている。
挟持片４３ｂは、スライド片４３ａの他片部側に重なり合う断面逆Ｌ字状に形成された部材である。
止着具４３ｃは、図示例によれば、スライド片４３ａ及び挟持片４３ｂに挿通されるチョウネジと、該チョウネジの先端側に螺合されるナットとからなる。
なお、スライド片４３ａ及び挟持片４３ｂは、長尺状の固定部材４１及び着脱片４２に対し、横幅方向の一部に設けられる短尺状の部材である。
【００４８】
次に、上記構成の防煙垂れ幕装置１について、施工手順の一例を詳細に説明する。
まず、天井部ａに対しガイドレール４０が装着され、左右の壁面ｂ，ｃに対して支持基体１０，２０が装着される。これらの装着順序は任意である。
【００４９】
次に、支持基体２０内の支持部材２３に対し垂れ幕本体３０の端部側（図示例によれば左端側）の係合部３１が止着される。この際、垂れ幕本体３０の端部側は、カバー部材２１ｄが外された状態の収納ケース２１に対し、下方側から挿入される。そして、第一パネル２１ａと第二パネル２１ｂ間のスリット２１ｃに垂れ幕本体３０が挿通されるとともに、垂れ幕本体３０端部側の係合部３１が筒状支持部２３ａ内の被係合凹部２３ａ２内に下方から挿入される。そして、カバー部材２１ｄが装着される。
【００５０】
次に、垂れ幕本体３０の逆端部側を支持基体２０側へ引き延ばしながら、垂れ幕本体３０の上端側を挟持部４３に挟持させる。
詳細に説明すれば、着脱片４２が外され、挟持部４３を露出した状態のガイドレール４０に対し、下方側から垂れ幕本体３０の上端部を接近させ、該上端部を挟持部４３におけるスライド片４３ａと挟持片４３ｂとの間に挟み、止着具４３ｃを締め付け、その後で、着脱片４２が装着される。垂れ幕本体３０は、固定部材４１と挟持部４３の間に挿通されるとともに、上端部が挟持部４３に挟まれることで下方へ落下しなくなる。
【００５１】
次に、垂れ幕本体３０の前記端部側（図示例によれば右端側）が、支持基体１０側へ引き延ばされる。この際、挟持部４３がガイドレール４０内を自在にスライドするため、垂れ幕本体３０に無理な張力が加わったり皺が生じたりするのを防ぐことができる。
【００５２】
そして、垂れ幕本体３０の前記端部側は、カバー部材１１ｄが外された状態の収納ケース１１に対し、下方側から挿入される。そして、第一パネル１１ａと第二パネル１１ｂ間のスリット１１ｃに垂れ幕本体３０が挿通されるとともに、垂れ幕本体３０端部側の係合部３１が巻取体１２外周部の被係合凹部１２ｃ内に下方から挿入される。
【００５３】
次に、巻取体１２下端の治具係合部１２ｂに対し回転操作治具１００が嵌め合せられ、該回転操作治具１００を回動することによって、巻取体１２が巻取り方向のみへ回転し、垂れ幕本体３０が引き張られた状態になる。
そして、収納ケース２１の下端には、カバー部材２１ｄが装着される。
【００５４】
また、垂れ幕本体３０を緩める必要が生じた場合には、カバー部材１１ｄと第一パネル１１ａ又は第二パネル１１ｂを外し、ラチェット装置１５ａの回止め係合部１５ａ３を上方へ揺動し（図６参照）、軸状部材１５ｂを緩めればよい。
【００５５】
よって、上記構成の防煙垂れ幕装置１によれば、巻取体１２の上下側にベアリングを用いない構造であるため、支持基体１０，２０の上下方向寸法を比較的小さく設定することができる。その上、巻取体１２又は巻取体１２に巻かれた垂れ幕本体３０を覆い支持する構造であるため、垂れ幕本体３０の張力によって巻取体１２の中央側が撓むようなことを防ぐことができ、ひいては、巻取体１２の撓みに起因して、垂れ幕本体３０に撓みや弛み、皺を生じるのを防ぐことができる。
また、巻取体１２の周囲に隙間が生じ難い構造であるため、気密性が良好で、防煙効果が比較的高い。
さらに、施工時には、垂れ幕本体３０の上端部を簡単に吊り下げることができ、作業性が良好な上、垂れ幕本体３０を挟持した挟持部４３が自在にスライドするため、施行中においても、撓みや弛み、皺等を生じ難い。
【００５６】
次に、図７〜９に示す実施例について説明する。この実施例の防煙垂れ幕装置２は、上記防煙垂れ幕装置１の構成を一部変更したものであるため、その変更部分について主に詳細に説明し、重複する説明は省略する。
【００５７】
この防煙垂れ幕装置２は、上記構成の防煙垂れ幕装置１に対し、垂れ幕本体３０を垂れ幕本体３０’に置換し、垂れ幕本体３０’の下端側に可撓性長尺部材５０を設け、さらに、該可撓性長尺部材５０に、垂れ幕本体３０’の横幅方向の張力よりも高い張力を生じさせる張力発生手段６０を設けている。
【００５８】
垂れ幕本体３０’は、上記構成の垂れ幕本体３０における下端側の部分に、横幅方向へわたる貫通孔状の被挿通部３２を設けてなる。
この被挿通部３２は、垂れ幕本体３０’の下端側を上方へ折り返し止着することで、断面袋状に形成され、可撓性長尺部材５０を横幅方向へ移動自在であって且つ上下方向へ移動しないように挿通する。
【００５９】
可撓性長尺部材５０は、本実施例によれば、金属製のワイヤーが用いられる。
この可撓性長尺部材５０は、垂れ幕本体３０’の被挿通部３２に挿通され、その少なくとも一端側が張力発生手段６０を介して不動部位（図示例によれば支持基体１０，２０）に止着される。なお、図示例によれば、両端側に張力発生手段６０を介在しているが、一方のみに張力発生手段６０を介在し、他方は直接不動部位に止着するようにしてもよい。
被挿通部３２から露出した可撓性長尺部材５０の端部側は、張力発生手段６０の被止着部材６２に挿通され、その先端側に、被止着部材６２からの抜けを防ぐ抜止め部材５１（例えば、ワイヤースリーブ等）が止着される。
【００６０】
張力発生手段６０は、図９に示すように、不動部位に固定される軸状部材６１と、該軸状部材６１に環状に遊挿されて可撓性長尺部材５０の端部が止着される被止着部材６２と、該被止着部材６２の垂れ幕本体３０側において軸状部材６１に環状に螺合された螺合部材６３とを具備している。
【００６１】
軸状部材６１は、図示例によれば頭部に六角孔を有するとともに軸部に雄ネジ部を有するボルトであり、可撓性長尺部材５０と略平行になるように配置され、先端側を不動部位である固定部材１４内の受け部材１４ｂに螺合している。
【００６２】
被止着部材６２は、軸状部材６１の軸部を遊挿する貫通状の大径孔６２ａと、可撓性長尺部材５０を挿通する貫通状の小径孔６２ｂとを有する板状の部材である。この被止着部材６２は、軸状部材６１の軸部に環状に装着され、小径孔６２ｂに可撓性長尺部材５０を挿通した状態に保持される。
【００６３】
螺合部材６３は、図示例によれば六角ナットであり、軸状部材６１の軸部における被止着部材６２よりも垂れ幕本体３０側に螺合される。
【００６４】
上記構成の防煙垂れ幕装置２は、上記防煙垂れ幕装置１と同様にして、両支持基体１０，２０間に設置された後、左右の張力発生手段６０が、それぞれ支持基体１０，２０に螺合される。
【００６５】
そして、巻取体１２の巻取りにより垂れ幕本体３０’に張力を加えた後、張力発生手段６０の螺合部材６３を締め付けることで、被止着部材６２を移動し、可撓性長尺部材５０に、巻取体１２の巻取りによる垂れ幕本体３０’の張力よりも高い張力を生じさせる。
【００６６】
よって、上記構成の防煙垂れ幕装置２によれば、張力発生手段６０によって可撓性長尺部材５０に張力を生じさせると、可撓性長尺部材５０を挿通している垂れ幕本体３０’の下端側が、厚み方向へ撓み難くなり、ひいては、火災時の熱風や圧力差により垂れ幕本体３０’の下端側が捲り上がり防煙機能を損ねてしまうようなことを防ぐことができる。
特に、防煙垂れ幕装置２は、横幅方向の寸法が比較的長い場合に上記作用効果を効果的に奏する。
【００６７】
なお、上記実施例によれば、左右の支持基体１０，２０を左右の壁面ｂ，ｃに装着したが、他例としては、一方又は双方の支持基体１０，２０を、天井部ａに垂下状に止着する構造とすることも可能である。
【００６８】
また、上記実施例によれば、筒状支持部１３ａを、開口部１３ａ１を有する断面略円筒状（換言すれば断面Ｃ字状）に形成したが、筒状支持部材の他例としては、開口部を有する断面角筒状（例えば、断面略三角筒形状や、断面略四角筒形状、断面略六角筒形状等）に形成することも可能である。
【００６９】
また、上記防煙垂れ幕装置１では、左右の支持基体１０，２０のうちの一方（図示例によれば支持基体１０）のみに、巻取体１２を設けたが、他例としては、両側に巻取体１２を設け、それぞれ巻取体１２に対し垂れ幕本体３０の端部を止着するようにすることも可能である。
【００７０】
また、上記防煙垂れ幕装置２では、張力発生手段６０を可撓性長尺部材５０の延長線上に直線的に配設したが、他例としては、可撓性長尺部材５０を不動部位に支持された滑車状部材やＵ字状部材に掛けて上方へ方向変換し、該可撓性長尺部材５０の上方向きの端部と天井部ａとの間に張力発生手段６０を設けるようにすることも可能である。
さらに、他例としては、張力発生手段を、可撓性長尺部材５０の長さ方向の中途部分に設けることも可能である。
【００７１】
また、上記張力発生手段の他例としては、可撓性長尺部材５０の端部と不動部位との間にターンバックルを設けた態様や、可撓性長尺部材５０と不動部位との間にゴムや引っ張りバネ等の弾性体を設けた態様等とすることが可能である。
【００７２】
また、上記防煙垂れ幕装置２では、張力発生手段が可撓性長尺部材の長さ方向に接続される態様としたが、張力発生手段の他例としては、可撓性長尺部材自体をゴムや引張りバネ等の長尺状弾性体により形成することも可能である。
【００７３】
また、上記防煙垂れ幕装置２では、可撓性長尺部材５０を横方向へ連続する貫通孔状の被挿通部３２に挿通したが、他例としては、垂れ幕本体の下端側に厚み方向へ貫通する貫通孔を間隔を置いて設け、これら複数の貫通孔に、可撓性長尺部材５０を波縫い状に挿通し、その両端を引っ張るようにすることも可能である。
【００７４】
上記実施例では、当該垂れ幕本体３０（又は３０’）を平坦面状に構成したが、他例としては、垂れ幕本体を、曲面状や折曲状に構成することも可能である。
【００７５】
また、上記防煙垂れ幕装置２では、垂れ幕本体３０’に一体に被挿通部３２を形成したが、他例としては、垂れ幕本体に対し別体の被挿通部を装着することも可能である。
【００７６】
また、上記防煙垂れ幕装置２では、被挿通部３２を垂れ幕本体３０’の横幅方向の略全長にわたって連続的に設けたが、他例としては、略同様の断面形状の被挿通部を垂れ幕本体の横幅方向の一部分に設けたり、略同様の断面形状の被挿通部を垂れ幕本体の横幅方向へ間隔を置いて複数設けたり等することも可能である。
【００７７】
また、上記防煙垂れ幕装置１（又は２）を横幅方向へ複数連装することも可能であり、この場合、隣り合う防煙垂れ幕装置１，１（又は２，２）の間における支持基体１０と支持基体２０を止着具等により接続するようにしてもよいし、隣り合う防煙垂れ幕装置１，１（又は２，２）を、中柱のような仲介部材（図示せず）を介して接続することも可能である。あるいは、防煙垂れ幕装置１，１（又は２，２）を、支持基体１０と支持基体２０を背中合わせに接合した形状の部材（図示せず）を介して接続するようにしてもよい。
【符号の説明】
【００７８】
１，２  防煙垂れ幕装置                      １０，２０  支持基体
３０，３０”  垂れ幕本体                    ３１  係合部
１２  巻取体                                １２ｂ  治具係合部
１２ｃ  被係合凹部（第１の被係合凹部）      １３  支持部材
１３ａ  筒状支持部                          １３ａ１  開口部
１３ａ２  被係合凹部（第２の被係合凹部）    １３ａ３  縁部
１５  一方向回転手段                        ４０  ガイドレール
４１  固定部材 ４２  着脱片
４１ｂ  開口部                              ４３  挟持部 
ａ  天井部                                  ｂ，ｃ  壁面
【図１】
0005927001.tif 000002
【図２】
0005927001.tif 000003
【図３】
0005927001.tif 000004
【図４】
0005927001.tif 000005
【図５】
0005927001.tif 000006
【図６】
0005927001.tif 000007
【図７】
0005927001.tif 000008
【図８】
0005927001.tif 000009
【図９】
0005927001.tif 000010